(57)【要約】平坦第１及び第２部材の係合を制御するオーバーランニングカップリングアセンブリ及び方法が提供されており、アセンブリは集合した爪及びこれらそれぞれの爪保持部分を具えている。平坦第１及び第２部材は、第１軸に対してほぼ垂直に延在する内側面を有する。爪は、自由に浮動する前進爪セット及び自由に浮動する後退集合爪セットを具える。前進及び後退爪セットは、ノッチに係合する係合位置と解除位置との間で移動可能である。集合した、制御要素が第１及び第２面の間に配置されるので、完全に円形である必要がなく、第１部材に対する第１及び第２角度位置との間で第１軸を中心に制御可能に回転できる。【選択図】図１
2009508076.tif 000002
【特許請求の範囲】
【請求項１】
オーバーランニングカップリングアセンブリにおいて：
内側第１面を有する平坦第１部材と；
前記第１面に近接している内側第２面を有する平坦第２部材であって、これらの部材の少なくとも１が第１軸を中心に回転するように取り付けられている第２部材と；
前記部材に形成された爪受け部及び爪保持部と；
自由に浮動する前進爪セット及び自由に浮動する後退集合爪セットであって、前記爪は前記爪保持部内に受けられ保持されるが前記爪保持部に物理的に固定されず、前記爪は前記爪受け部と爪保持部との間で係合位置と解除位置との間で移動可能であり、前記後退爪は、前記部材間でこれらの係合位置で前記第１軸を中心に後退方向への回転を防いで、前記部材間でこれらの解除位置で前記第１軸を中心に前進方向に回転を可能にする前進爪セット及び後退集合爪セットと；
前記爪保持部に設けられた第１付勢部材セットであって、前記前進及び後退爪セットをそれぞれの爪保持部から外方に押圧する第１付勢部材セットと；
前記爪保持部に対して前記面間で動きを制御可能にシフトし、前記後退集合爪セットの位置を制御するために動作可能であるように取り付けられた制御要素であって、前記後退集合爪セットが貫通して前記制御要素の第１位置でそれぞれの係合位置へ延在できるようにここを貫通して延在する少なくとも１の開口を有する制御要素とを具え、前記制御要素は、前記制御要素の第２位置で解除位置に前記後退集合爪セットを保持することを特徴とするオーバーランニングカップリングアセンブリ。
【請求項２】
請求項１に記載のアセンブリにおいて、前記第１部材と前記第２部材とが、前記制御要素の前記第２位置で前記第１軸を中心に前記後退方向に相対的に回転することにより、前記爪受け部は、前記前進爪セットに対して作用して、前記前進爪セットを前記付勢部材の押圧に対して解除位置へ動かしてフリーホイーリングできることを特徴とするアセンブリ。
【請求項３】
請求項１に記載のアセンブリにおいて、前記前進及び後退爪セットが同じ部材に受けられて保持されることを特徴とするアセンブリ。
【請求項４】
請求項１に記載のアセンブリにおいて、前記制御要素が対向する端部を有することを特徴とするアセンブリ。
【請求項５】
請求項４に記載のアセンブリにおいて、前記制御要素が前記部材に形成された前記爪保持部を有する前記部材内に収容されていることを特徴とするアセンブリ。
【請求項６】
請求項４に記載のアセンブリにおいて、前記制御要素が前記対向する端部に形成されたタブを有することを特徴とするアセンブリ。
【請求項７】
請求項６に記載のアセンブリにおいて、前記爪保持部を有する前記部材が、前記タブに前記制御要素のシフト動作を案内する保持パッドを具えることを特徴とするアセンブリ。
【請求項８】
請求項１に記載のアセンブリがさらに、前記制御要素を第１と第２位置との間で選択的にシフトするため前記制御要素に機能的に連結された動作部材を具えることを特徴とするアセンブリ。
【請求項９】
請求項１に記載のアセンブリにおいて、前記制御要素が板状部材であることを特徴とするアセンブリ。
【請求項１０】
請求項１に記載のアセンブリにおいて、前記第１及び第２部材が板状部材であることを特徴とするアセンブリ。
【請求項１１】
オーバーランニングカップリングアセンブリにおいて：
内側第１面を有する平坦第１部材と；
前記第１面に近接している内側第２面を有する平坦第２部材であって、これらの部材の少なくとも１が第１軸を中心に回転するように取り付けられている第２部材と；
前記部材に形成された爪受け部及び爪保持部と；
自由に浮動する前進爪セット及び自由に浮動する後退集合爪セットであって、
前記爪は前記爪保持部内に受けられ保持されるが前記爪保持部に物理的に固定されず、前記爪は前記爪受け部と爪保持部との間で係合位置と解除位置との間で移動可能であり、前記後退爪は、前記部材間でこれらの係合位置で前記第１軸を中心に後退方向への回転を防いで、前記部材間でこれらの解除位置で前記第１軸を中心に前進方向に回転を可能にする前進爪セット及び後退集合爪セットと；
前記面の間の第１と第２角度位置の間で前記爪保持部に対して前記第１軸を中心に制御された回転をするように取り付けられ、前記後退集合爪セットの位置を制御するように動作可能である制御要素であって、前記後退集合爪セットが貫通して前記制御要素の第１角度位置で係合位置に延在することができるようにここを貫通して延在する少なくとも１の開口を有する制御要素とを具え、前記制御要素は前記制御要素の第２角度位置で解除位置に前記後退集合爪セットを保持することを特徴とするオーバーランニングカップリングアセンブリ。
【請求項１２】
請求項１１に記載のアセンブリにおいて、前記第１部材と前記第２部材とが前記制御要素の前記第２角度位置で前記第１軸を中心に前記後退方向に相対的に回転することにより、前記爪受け部は、前記前進爪セットに対して作用して、前記前進爪セットを解除位置へ動かしてフリーホイーリングできるようにすることを特徴とするアセンブリ。
【請求項１３】
請求項１１に記載のアセンブリにおいて、前記前進及び後退爪セットが同じ部材に受けられて保持されることを特徴とするアセンブリ。
【請求項１４】
請求項１１に記載のアセンブリにおいて、前記制御要素が、対向する端部を有することを特徴とするアセンブリ。
【請求項１５】
請求項１４に記載のアセンブリにおいて、前記制御要素が、前記部材に形成された前記爪保持部を有する前記部材内に収容されていることを特徴とするアセンブリ。
【請求項１６】
請求項１４に記載のアセンブリにおいて、前記制御要素が、前記対向する端部に形成されたタブを有することを特徴とするアセンブリ。
【請求項１７】
請求項１６に記載のアセンブリにおいて、前記爪保持部を有する前記部材が、前記軸タブに前記制御要素の角度運動を案内する保持パッドを具えることを特徴とするアセンブリ。
【請求項１８】
請求項１１に記載のアセンブリがさらに、前記制御要素を第１と第２角度位置との間で選択的にシフトするため前記制御要素に機能的に連結された動作機構を具えることを特徴とするアセンブリ。
【請求項１９】
請求項１１に記載のアセンブリにおいて、前記制御要素が板状部材であることを特徴とするアセンブリ。
【請求項２０】
請求項１１に記載のアセンブリにおいて、前記第１及び第２部材が板状部材であることを特徴とするアセンブリ。
【請求項２１】
第１及び第２部材の係合を制御する方法であって、前記第１部材は、内側第１面を有し、前記第２部材は、前記第１面に近接している内側第２面を有して、これらの部材の少なくとも１が第１軸を中心に回転するように取り付けられており、爪受け部及び爪保持部が前記部材に形成されている第１及び第２部材の係合を制御する方法において：
自由に浮動する前進爪セット及び自由に浮動する後退集合爪セットであって、前記爪保持部内に受けられ保持されるが、前記爪保持部に物理的に固定されない爪を設けるステップと；
前記前進及び後退爪セットを各爪保持部から外方へ押圧するステップと；
前記爪保持部に対して前記第１軸を中心に回転可能である前記第１及び第２面の間の単一の制御要素であって、ここを貫通して延在する少なくとも１の開口を有する制御要素を提供するステップと；
前記爪保持部に対して前記第１軸を中心に前記制御要素を回転させるステップとを具え、前記少なくとも１の開口によって、前記後退集合爪セットがここを貫通して係合位置に延在して、前記第１軸を中心に後退方向に前記部材間で回転を防ぐように前記制御要素の第１角度位置で前記爪受け部内に受けて、前記制御要素は、前記後退集合爪セットを前記第１軸を中心に前記部材間で前進方向に回転できるように前記制御要素の第２角度位置で解除位置に保持することを特徴とする方法。
【請求項２２】
請求項２１に記載の方法がさらに、前記回転させるステップの間に前記制御要素を案内するステップを具えることを特徴とする方法。
【発明の詳細な説明】
【技術分野】
【０００１】
本発明は、平坦部材の係合を制御するためのオーバーランニングカップリングアセンブリ及び方法に関する。
【背景技術】
【０００２】
オーバーランニングカップリングアセンブリは、様々な構造環境において、駆動部材から被駆動部材へのトルク伝達に用いることができる。これは駆動部材から被駆動部材へトルクを伝達する一方で、トルクが遮断されたときに、駆動部材を被駆動部材に対してフリーホイーリング運動させる。このようなカップリングはしばしばインナーレースと同軸に配置されたアウターレースを具え、当該アウターレースはそこにカップリングローラを組み立てるポケットを規定するカム面を有している。
【０００３】
駆動部材は一方のレースに連結され、被駆動部材は他方のレースに連結されている。駆動部材から被駆動部材へトルクが伝達する間は、ローラはカム面に対するカム作用によってロックされた状態になり、これによって駆動部材と被駆動部材との間に確実伝導連結を構築する。トルクが遮断されると、ローラは各カム面からのロックを解除されて、被駆動部材は駆動部材に対してフリーホイールする。
【０００４】
もう一つの一般的なオーバーランニングカップリングは、インナーレースとアウターレースを具え、一方のレースは駆動部材に連結され、他方のレースは被駆動部材に連結されている。オーバーランニングカップリングスプラグがアウターレースの内側円筒面とインナーレースの外側円筒面との間に配置されており、トルクが被駆動部材に送られると、このスプラグがレースを互いにロックする。トルク伝達が遮断されると、このスプラグはインナーとアウターレース面に対するロックが解除される。
【０００５】
米国特許第５，９２７，４５５号は、動力変換用に取り付けた駆動部材と、当該駆動部材の近傍に変換用に取り付けた被駆動部材とを具える双方向のオーバーランニング爪型クラッチであって、駆動部材と被駆動部材の各々が爪に係合するショルダを有するクラッチと、駆動部材と被駆動部材との間に配置した複数の硬質爪とを開示している。駆動部材及び被駆動部材の間で動きをシフトさせる制御要素を取り付けて、爪の位置を制御して、駆動部材及び被駆動部材の間に延在している係合位置に向けてバイアスをかけて、これらの間に駆動係合を生じさせる。駆動部材の回転の方向によって一方向に駆動させオーバーランニングさせる、又は、反対方向に駆動させオーバーランニングさせるように、制御要素は様々な位置へシフトさせることができる。
【０００６】
米国特許第６，２４４，９６５号は、駆動部材から被駆動部材へと一方向にトルクを伝達する、平坦オーバーランニングカップリングを開示しており、逆方向のトルクによって部材間のフリーホイーリング運動を可能にしている。このカップリングは間に配置したストラット保持プレートに近接して配置されたカップリングプレートを具える。一方のプレートは駆動部材に連結され、他方のプレートは被駆動部材に連結している。各プレートはストラット凹部を具えている。一連のストラットが一枚のプレートの凹部に設置されており、各ストラットは回動して、その結果このストラットが他方のカップリングプレートに伴う凹部に係合できる。保持プレートは角度をつけて間隔をあけて配置した開口を具え、保持プレートが一の回転位置にあるとき、この開口がストラットに合致してストラットを旋回運動させる。保持プレートが第２の回転位置にあるときは、ストラットの旋回運動を妨げ、カップリングプレートを相対的フリーホイーリング運動させる。  
【０００７】
米国特許第６，１１６，３９４号は、共通軸に沿ってそれぞれが互いに面と面を突き合わせた関係に配置されたノッチプレートと、環状カップリングポケットプレートとを具えるオーバーランニングカップリングアセンブリを開示している。このポケットプレートは前記軸周りに角度をつけて間隔を置いて配置したストラットポケットを具える。ノッチプレートは共通軸の周りに角度をつけて間隔を置いて配置され、ストラットポケットに対して並置関係に配置したノッチ凹部を具える。ノッチプレートはノッチ凹部の半径方向内側部に内側周縁レールと、ノッチ凹部の半径方向外側部に外側周縁のレールとを具える。トルク伝達ストラットがストラットポケットの中に配置されている。各ストラットは一の端部に第１及び第２の耳部を有し、この耳部と交差する耳部軸を中心にストラットを旋回運動可能にする。各ストラットの反対側の端部はノッチ凹部の一つに係合可能であり、それによって前記プレートの間で一方向のトルク伝達が生じる。各反対側の端部は第１及び第２の角部を有する。各ストラットポケットは共通軸と平行であるストラット軸を中心に各ストラットの旋回運動が可能なように十分に拡大されて、その結果、第１及び第２の角部の一方が内側及び外側周縁のレールの一方によって選択的に支持され、ノッチプレートとポケットプレートがそれぞれ逆回転しているときに、ストラットのノッチ凹部に対するスラップを防止することができる。
【０００８】
米国特許第５，９６４，３３１号は、近接した並置関係に位置したポケットプレートとノッチプレートを具える一方向クラッチを開示している。この種の一方向クラッチは、近接して並置された面がクラッチの軸に対してラジアル平面に位置しているため、時に平坦クラッチと呼ばれる。
【０００９】
この開示の目的において、カップリングの用語はプレートの一方が変速機のトルク送り要素に駆動可能に連結され、他方のプレートはもう一つのトルク送り要素に駆動可能に連結又は固定されて変速機ハウジングに対して固定的に保持されているクラッチもしくはブレーキを含むと解すべきである。カップリング、クラッチ、及びブレーキの用語は、相互に交換して用いることができる。
【００１０】
ポケットプレートには一方向クラッチの軸周りに角度をつけて配置した凹部もしくはポケットを設けてもよい。このポケットはポケットプレートの平坦面に形成されている。各ポケットはトルク伝達ストラットを受けており、このストラットの一方の端部がポケットプレートのポケット中の固定点に係合する。ストラットの反対側の端部は、以下、能動端部と呼ぶが、ポケット内のある位置から、この能動端部がポケットプレートの平坦面から外方へ延在している位置へ移動することができる。ストラットは、個別のばねによって、ポケットプレートから離れる方向にバイアスされる。
【００１１】
ノッチプレートにはポケットプレートの前記ポケットのほぼ半径上に配置された複数の凹部もしくはノッチを形成してもよい。前記ノッチはノッチプレートの平坦面に形成される。
【００１２】
オーバーランニング平坦クラッチのその他の例は、米国特許第５，５９７，０５７号に開示されている。
【００１３】
本発明に関する他の米国特許には：第５，０７０，９７８号；第５，４４９，０５７号；第５，８０６，６４３号；第５，８７１，０７１号；第５，９１８，７１５号；第５，９７９，６２７号；第６，０６５，５７６号；第６，１２５，９８０号；第６，１２９，１９０号；第６，１８６，２９９号；第６，１９３，０３８号；第６，３８６，３４９号；第６，４８１，５５１号；第６，５０５，７２１号；第６，５７１，９２６号；及び第６，８５４，５７７号があげられる。
【００１４】
このようなクラッチを作るための材料の量を最小限にすることが所望されている。また、このようなクラッチを製造する工程は簡素化されていることが所望される。さらに、このようなクラッチ又はアセンブリは、オーバーランニング又はフリーホイーリングする機能を具えて、オーバーランドラグを減らし、制御機構にかかる費用を減らし、複雑さをなくすことも所望される。
【発明の開示】
【発明が解決しようとする課題】
【００１５】
本発明の目的は、平坦部材の係合を制御するオーバーランニングカップリングアセンブリ及び方法を提供することにあり、ここで、アセンブリは、各爪保持部内に保持される集合爪を具えて、集合爪は制御要素又はスライドプレートによって制御され、制御可能な一方向クラッチを提供することによって、費用を減らし（スライドプレート及び制御機構）、複雑さが緩和され（改良されたアセンブリ）、スライドプレートのオーバーランドラグを減らすことができる。
【課題を解決するための手段】
【００１６】
上記本発明の目的及び他の目的を達成するため、オーバーランニングカップリングアセンブリを提供する。このアセンブリは、内側第１面を有する平坦第１部材を具える。平坦第２部材は、第１面に近接している内側第２面を有する。少なくとも一方のこれらの部材は、第１軸を中心に回転するように取り付けられる。前記部材に、爪受け部及び爪保持部は形成されている。自由に浮動する前進爪セット及び自由に浮動する後退集合爪セットは、爪保持部内に受けられ保持されるが、爪保持部に物理的に固定されるものではない。これらの爪は、爪受け部と爪保持部との間で、係合位置と解除位置の間で移動可能である。後退爪は、前記部材間でこれらの係合位置で前記第１軸を中心に後退方向への回転を防いで、前記部材間でこれらの解除位置では、第１軸を中心に前進方向に回転を可能にする。第１付勢部材セットは、爪保持部に設けられ、前進及び後退爪セットをそれぞれの爪保持部から外方に押圧する。制御要素は、爪保持部に対する前記面間で動きを制御可能にシフトし、後退集合爪セットの位置を制御するために動作可能であるように取り付けられている。制御要素は、後退集合爪セットが貫通して制御要素の第１位置でそれぞれの係合位置へ延在できるようにここを貫通して延在する少なくとも１の開口を有し、この場合、当該制御要素は、制御要素の第２位置で解除位置に後退集合爪セットを保持する。
【００１７】
第１部材と第２部材とが、制御要素の第２位置で第１軸を中心に後退方向に相対的に回転することにより、爪受け部は、前記前進爪セットに対して作用して、前記前進爪セットを前記付勢部材の押圧に対して解除位置へ動かしてフリーホイーリングできるようにすることができる。
【００１８】
前進及び後退爪セットは、同じ部材に受けられて保持されてもよい。
【００１９】
制御要素は、対向する端部を有してもよい。
【００２０】
制御要素は、前記部材に形成された爪保持部を有する部材内に収容されてもよい。
【００２１】
制御要素は、対向する端部に形成されたタブを有してもよい。
【００２２】
爪保持部を有する前記部材は、タブに制御要素のシフト動作を案内する保持パッドを具えてもよい。
【００２３】
動作部材は、前記制御要素を第１と第２位置との間で選択的にシフトするための制御要素に機能的に連結されてもよい。
【００２４】
制御要素は、板状部材でもよい。
【００２５】
第１及び第２部材は、板状部材でもよい。
【００２６】
さらに、上記本発明の目的及び他の目的を達成するために、オーバーランニングカップリングアセンブリが提供される。アセンブリは、内側第１面を有する平坦第１部材を具える。平坦第２部材は、第１面に近接している内側第２面を有する。少なくとも一方のこれらの部材のは、第１軸を中心に回転するように取り付けられている。爪受け部及び爪保持部は、前記部材に形成されている。自由に浮動する前進爪セット及び自由に浮動する後退集合爪セットが設けられている。これらの爪は、爪保持部内に受けられ保持されるが、爪保持部に物理的に固定されない。これらの爪は、爪受け部と爪保持部との間で、係合位置と解除位置との間で移動可能である。後退爪は、前記部材間でこれらの係合位置で前記第１軸を中心に後退方向への回転を防ぎ、前記部材間でこれらの解除位置で第１軸を中心に前進方向に回転を可能にする。制御要素は、面の間で第１と第２角度位置の間で爪保持部に対して第１軸を中心に制御された回転をするように取り付けられ、後退集合爪セットの位置を制御するように動作可能である。制御要素は、後退集合爪セットが貫通して制御要素の第１角度位置で係合位置に延在することができるようにここを貫通して延在する少なくとも１の開口を有する。制御要素は制御要素の第２角度位置で解除位置に後退集合爪セットを保持する。
【００２７】
制御要素の第２角度位置で第１軸を中心に後退方向への第１部材と第２部材との間の相対的回転によって、爪受け部は、前進爪セットに対して作用して、前進爪セットを解除位置へ動かしてフリーホイーリングできるようにしてもよい。
【００２８】
前進及び後退爪セットが同じ部材に受けられて保持されてもよい。
【００２９】
制御要素は、対向する端部を有してもよい。
【００３０】
制御要素は、前記部材に形成された爪保持部を有する部材内に収容されてもよい。
【００３１】
制御要素は、対向する端部に形成されたタブを有してもよい。
【００３２】
爪保持部を有する前記部材は、前記軸タブで制御要素の角度運動を案内する保持パッドを具えてもよい。
【００３３】
動作機構は、制御要素を第１と第２角度位置との間で選択的にシフトするため制御要素に機能的に連結されてもよい。
【００３４】
制御要素は、板状部材でもよい。
【００３５】
第１及び第２部材は、板状部材でもよい。
【００３６】
また、第１及び第２部材の係合を制御する方法が提供される。平坦第１部材は、内側第１面を有する。第２部材は、前記第１面に近接している内側第２面を有する。少なくとも一方のこれらの部材は、第１軸を中心に回転するように取り付けられている。爪受け部及び爪保持部は、前記部材に形成されている。当該方法は、さらに、自由に浮動する前進爪セット及び自由に浮動する後退集合爪セットであって、爪保持部内に受けられ保持されるが、当該爪保持部に物理的に固定されない爪を設けるステップを具える。このステップは、また、前進及び後退爪セットを各爪保持部から外方へ押圧するステップを具える。単一の制御要素は、前記第１及び第２面の間に提供されて、爪保持部に対して第１軸を中心に回転可能である。当該制御要素は、ここを貫通して延在する少なくとも１の開口を有する。当該方法は、また、爪保持部に対して前記第１軸を中心に制御要素を回転させるステップを具える。前記少なくとも１の開口によって、前記後退集合爪セットは、ここを貫通して係合位置に延在して、第１軸を中心に後退方向に部材間で回転を防ぐように制御要素の第１角度位置で爪受け部内に受けられる。制御要素は、後退集合爪セットを第１軸を中心に前記部材間で前進方向に回転できるように、制御要素の第２角度位置で解除位置に保持する。
【００３７】
前記制御要素は、回転させるステップの間に案内されてもよい。
【００３８】
本発明の上述した目的及び他の目的、特性、並びに利点については、添付図面とあわせて、下記の本発明を実施するための最良の形態から自明である。
【発明を実施するための最良の形態】
【００３９】
図１に、本発明の１の実施例に従って組み立てた、全体として符号１２で表した平坦又はオーバーランニングカップリング又はクラッチアセンブリと、全体として符号１０で表したそのポケット部材又はプレートを示す。全体として符号１４で表したカップリング又はノッチプレートは、ポケットプレート１０内に収容されており、図２及び４に示す。ノッチプレート１４は、ノッチプレート１４に形成された内側スプライン１６を介してある部品（図示せず）に連結され、当該部品にスプラインを係合する。ポケットプレート１０は、外側スプライン１８を設けている。
【００４０】
アクチュエータ（図示せず）は、制御部材又はプレート２０のタブ２３に固定されるスライドプレートフォーク２２を介して、全体として符号２０で示されたスライド又は制御要素もしくはプレートに駆動可能に連結され、そして、図２に示すように、制御プレート２０は、プレート１４及び２０の少なくとも一方がこれを中心に回転可能である第１軸２４に対して、角度を調整される。制御プレート２０は、プレート１０と１４の間に配置され、プレート１０及び１４に対して制限された角回転をする。
【００４１】
制御要素又はプレート２０は完全環状部品ではないので、この部品を製造する材料を少なくできる。スタンピングアセンブリの動作の間、当該部品は互いに近接して収容できる。また、制御プレート２０は、完全環状ではないので、簡単にクラッチ内へ取り付けることができる。当該部品の環外径を越えて延在する制御プレートタブを具える完全環状制御プレートである場合は、これを組み立てるための唯一の方法は、難しい角度に当該部品を傾けることである。制御プレート２０など、完全環状制御プレートではないプレートを使用する別の利点として、制御プレート２０の表面積を減らすことができることにある。これによって、オーバーランの動きを減らすことができ、制御プレート２０用の制御機構の大きさを小さくすることができる。
【００４２】
プレート１４は、プレート１０に対して軸２４を中心に一角度方向にフリーホイーリングできる。アクチュエータが、制御プレート２０の角度位置をポケットプレート１０に対して軸２４を中心に、図３に示すように、後退位置から上方へ少し制御プレート２０の角度（例えば１０°）を動かすことで達成される前進位置へ調整する（フォーク２２を介して）場合に、一方向フリーホイーリング運動は一定の動作状態で達成される。
【００４３】
図１は、クラッチ又はカップリングアセンブリ１２の分解図である。図６に示すように、ノッチプレート１４の内側面２６に、共通の壁２９によって分離された１又はそれ以上のノッチ２８が形成されている。ノッチプレート１４は、ポケットプレート１０で受けるように構成されている。
【００４４】
ポケットプレート１０の内側面３０は、このプレート１０に付随する爪保持部に形成された前進凹部３２及び後退凹部３３を有する。制御プレート２０は、それぞれプレート１４及びプレート１０の内側面２６、３０の中間に設置されている。
【００４５】
第１の実施例では、好ましくは、ポケットプレート１０には、１６個の凹部３２内に受けられて保持される１６個のストラット又は爪３４（図４）がある。１２個の爪３４は、軸２４を中心に前進方向にトルクを伝達するための前進爪であり、残る４個の爪３４は後退爪であり、曲線状の列又は線となって近接して互いに集合した又はグループ化した前進爪と実質的には同一で、軸２４を中心に「後退」方向（すなわち、図３を参照）への部材１０と１４間の回転を防止する。各ストラット又は爪は、平坦な概略四角形部分と、一対の耳部とを具える。
【００４６】
前進及び後退ストラットの好ましい数は、要求されるバックラッシ及びパッケージング領域（space）に基づく。パッケージング空間には、３つの制限を要する。第１の制限は、爪又はストラット用の空間(room)の物理的な制約である。第２の制限は、第１の制限に基づくものである。空間の総量によって、ストラットの最大数が決定されるが、ポケット間の角度距離を規定する個々の角度数は必ずしも最適にならない。これに加えて、前進及び後退ストラット集合間には、ときどき最適な位置がある。最後に、第３の制限は、以下に詳述するパッドを保持するスライドプレートを差し込むために集合間に必要とされる距離の総量に基づくものである。
【００４７】
制御プレート２０が「前進」位置に配置されると、「後退」集合爪又はストラットのセットは覆われる。制御プレート２０が「後退」位置に配置されると、「後退」集合ストラットセットは覆われない。覆われない場合に、「後退」ストラットは、「後退」方向へのポケットプレート１０とノッチプレート１４との間の回転を防止することができる。
【００４８】
図１に示すように、制御プレート２０は、４個の集合した又はグループ化した開口４６を設けている。これらは、間隔を空けて配置され、軸２４を中心に角度を付けて並べられている。制御プレート２０が「後退」位置（すなわち、図３）に適切に配置される場合は、開口４６は、各凹部２２の上に直接配置されうる。
【００４９】
開口４６及びノッチ２８は、プレート１４とプレート１０の間の回転を防ぐように後退爪とプレート１４との間のロック動作を構築するために、後退爪部がノッチプレート１４の爪受け部のノッチ２８に入ってノッチ２８の縁部に係合できる大きさである。
【００５０】
図３に示すように、制御プレート２０が異なる（すなわち、前進）角度位置へ後退位置から回転する場合、後退爪はこれらの凹部３３内へ下方に回動して、制御プレート２０によって少なくとも部分的に覆われ、上方へ回動しないようにされる。制御プレート２０がここに位置する場合、プレート１４は、プレート１０に対して軸２４を中心にフリーホイーリングできるようになる。
【００５１】
前進爪３４は制御プレート２０によって覆われず、ノッチプレート１４によってのみ覆われる。前進爪３４は、ノッチプレート１４によって部分的に保持されている間は、外方に回動することができる。
【００５２】
本発明の１の実施例では、すべての好適なストラットばねを使用できるが、図１７は好適なコイルばね４８を示す。１個のばね４８が凹部３２及び３３に形成した凹部５０内の各前進及び後退爪の下に設置されている。
【００５３】
ノッチプレート１４が、この間の制御プレート２０と共にポケットプレート１０内に受けられ、又は収容されると、プレート１０と１４は、保持リング又はスナップリング５６によって軸状に確実に保持される。スナップリング５６はプレート１０に形成された溝５８に受けて保持され、溝５８を図５に最良に示す。組み立てると、制御プレート２０は、ポケットプレート１０に形成された環状溝６０内に配置される。
【００５４】
ここに図７乃至１６を参照すると、アセンブリの第２の実施例を示しており、ここでは、同じもしくは類似の構造又は機能を有する部品は、単一の重要な符号以外は、同じ参照符号で示している。
【００５５】
この実施例の制御要素２０’は、軸タブ７０’を有している。タブ７０’によって、スライドプレート２０’を第２実施例の制御可能なクラッチアセンブリのさらに軸周りの隙間に収容することができる。制御プレート２０’の一方の端部の制御プレートタブ２３’によって、プレート１０’の制御タブ溝は、ポケットプレートの端部で担持される軸方向荷重から離れて動くことができる。また、制御タブ溝は、ポケットプレート端部にある。溝及び軸方向荷重が相互作用してしまう場合、早発破損が高い確率で起こる。
【００５６】
図１乃至６の実施例では、後退及び前進集合位置の両方用に、１つのストラット設計のみを使用している。図７乃至１６の実施例では、後退ストラットを全体として符号７４’で示し（すなわち図１６）、これは、ノッチとポケットプレートの２つのレースの間で相対運動をほとんど又は全く生じさせないように解除されることができる。ストラット７４’の端部は、この特性を提供するために四角である。後退トルクをより大きくするため、後退ストラット７４’は、図１５に全体として７２’で示される前進ストラットより広く、厚い。前進ストラット７２’の耳部７３’は、後退ストラット７４’の耳部７５’より長い。したがって、図９及び１０に示す後退凹部３３’は、図１１及び１２の前進凹部３２’と異なっている。
【００５７】
後退ストラット７４’は、第２実施例のノッチプレートに係合するために前進ストラット７２’が回動する角度より大きな角度にわたって回動する。図１７のばね４２など、ばねを保持するように前進及び後退ストラット７２’と７４’のそれぞれに同じ角度が、ばね４８の側部荷重を著しく減らすように後退凹部３３’に形成されたポケット５０’の底部に提供される。
【００５８】
集合間に挿入した保持パッド７６’は、凹部内へ延在するタブ７０’で制御プレート２０’に追加的に局所に作用する深さの凹部を作り出す。これらは、制御プレート２０’のガイドとして作用する。制御プレートタブ２３’が動くと、偏心又は側部荷重によって、この意図した位置の外へ制御プレート２０’は動いてしまう。保持パッド７６’によって、両方の問題を解決できる。
【００５９】
本発明の実施例を示して説明しているが、これらの実施例は、本発明の可能な形すべてであることを意図するものではない。むしろ、明細書中で使用されている言葉は、制限よりむしろ説明のための言葉であり、本発明の意図及び範囲から外れることなく様々に変更することができる。
【図面の簡単な説明】
【００６０】
【図１】図１は、本発明の１の実施例に従って組み立てられたオーバーランニングカップリング又はクラッチアセンブリ（説明を簡単にするために、対応する爪及びばねは図示せず）の分解斜視図である；
【図２】図２は、図１のアセンブリの平面図である；
【図３】図３は、後退位置で制御要素を具える図２のアセンブリの部分拡大図である；
【図４】図４は、図２のライン４−４に沿った断面図である；
【図５】図５は、図２のライン５−５に沿った部分拡大断面図である；
【図６】図６は、図１乃至７のアセンブリのノッチプレートの等角図である；
【図７】図７は、アセンブリの別の実施例のポケットプレート（説明を簡単にするために、対応するストラット及びばねは図示せず）を示す概略平面図である。
【図８】図８は、図７のライン８−８に沿った断面図である；
【図９】図９は、図７に示した後退爪保持部の拡大図である；
【図１０】図１０は、図９のライン１０−１０に沿った部分断面図である；
【図１１】図１１は、図７に示した前進爪保持部の拡大図である；
【図１２】図１２は、図１１のライン１２−１２に沿った部分断面図である；
【図１３】図１３は、第２実施例のポケットプレートとともに使用する制御要素の平面図である；
【図１４】図１４は、図１３のライン１４−１４に沿った部分断面図である；
【図１５】図１５は、本発明の第２実施例で使用する前進爪又はストラットの斜視図である；
【図１６】図１６は、第２実施例で使用する後退爪又はストラットの斜視図である；
【図１７】図１７は、図４、１５及び１６の前進及び後退爪又はストラット両方とともに使用するためのコイルばねの斜視図である。
【図１】
2009508076.tif 000003
【図２】
2009508076.tif 000004
【図３】
2009508076.tif 000005
【図４】
2009508076.tif 000006
【図５】
2009508076.tif 000007
【図６】
2009508076.tif 000008
【図７】
2009508076.tif 000009
【図８】
2009508076.tif 000010
【図９】
2009508076.tif 000011
【図１０】
2009508076.tif 000012
【図１１】
2009508076.tif 000013
【図１２】
2009508076.tif 000014
【図１３】
2009508076.tif 000015
【図１４】
2009508076.tif 000016
【図１５】
2009508076.tif 000017
【図１６】
2009508076.tif 000018
【図１７】
2009508076.tif 000019
【国際調査報告】
2009508076.tif 000020